(57)【要約】【課題】  プラグの数やコンセントの位置に拘束されない利便性と安全性を兼ね備えた電気コネクタを得ること。【解決手段】  ケーブル接続部（１２）を介してカード型プラグ本体（１１）とケーブル（１３）を接続したカード型プラグ（１０）と、該カード型プラグ本体（１１）を挿入するための開口スリット部（２２）が設けられフリーコンセントケーシング（２１）よりなるフリーコンセント（２０）、からなる電気コネクタとする。【選択図】  図１
2011100624.tif 000002
【特許請求の範囲】
【請求項１】
ケーブル接続部（１２）を介してカード型プラグ本体（１１）とケーブル（１３）を接続したカード型プラグ（１０）と、該カード型プラグ本体（１１）を挿入するための開口スリット部（２２）を設けたフリーコンセントケーシング（２１）よりなるフリーコンセント（２０）、からなる電気コネクタ。
【請求項２】
上記カード型プラグ本体（１１）に電気接触部（１４）と抜け止め部（１５）を設け、該電気接触部（１４）はカード型プラグ本体（１１）の同一面上又は表裏両面に間隔を設けて設置し、該抜け止め部（１５）は下部電源導電端子部（２４）と接してカード型プラグ（１０）の脱落を防止することを特徴とする請求項１に記載の電気コネクタ。
【請求項３】
上記ケーブル接続部（１２）に、滑りを防止するためのスリット（１６）を設けたことを特徴とする請求項１または２に記載の電気コネクタ。
【請求項４】
上記フリーコンセントケーシング（２１）に、カード型プラグ本体（１１）を開口スリット部（２２）に対して傾斜して挿入するための、その長尺に沿った幅１〜３ｍｍ、望ましくは２ｍｍの開口スリット部（２２）を設け、該フリーコンセントケーシング（２１）の内部には、その長尺に沿って電源となる上部電源導電端子部（２３）と下部電源導電端子部（２４）を設け、該端子部は、カード型プラグ本体（１１）に接してカード型プラグ（１０）を把持すると共に、電気を供給することを特徴とする請求項１〜３のいずれか１項に記載の電気コネクタ。
【発明の詳細な説明】
【技術分野】
【０００１】
本発明は、カード型プラグとフリーコンセントよりなり、プラグの数やコンセントの設置位置に拘束されない利便性と安全性を兼ね備えた、新規な電気コネクタに関する。
【背景技術】
【０００２】
近年、電気製品の普及に伴い、身の回りのほとんどの装置が電源を必要としている。すなわち、オフィスや家庭における電気機器の増大、多様化に伴い、これに必要なコンセントの数が不足し、所謂、たこ足配線となっている。
特に、一般的なＲＣの建物においては、建設時の工事において、電気配線のための配管を躯体中に埋め込んでいる。
【０００３】
そしてＲＣ建物の躯体は、１００年以上保つことから、自由に部屋のレイアウトを変更したりリフォームをするためには、新たなコンセントの設置が必要になる。しかしながら、ＲＣ建物は頑丈な躯体であることから、新たな工事はやりにくく改造するためのコストも大きいものとなる。
一般的な建物においては、建築時において、既にコンセントの設置位置やプラグの設置数が決まっていることから、新たな電気機器に対しては延長コンセントタップの使用や分岐接続が非常に多くなり、子供などがコードに引っかかるなど、安全性に大きな問題を生じている。
【０００４】
そして、一般的な電気製品についてはワイヤレス化が進む中、電源だけはワイヤレスが出来ていない状況である。
例えば、電話の子機は自由に使えるようにワイヤレスが多いが、充電の為、コンセントの近くに置く必要があり、置く場所が制限される。その結果、スリム化する機器に反して、コンセントの形、デザインは長期間何ら変わっていない。
【０００５】
これらの課題に対応するため、これまでにも様々な発明がなされてきた。
例えば、各種ＯＡ機器の普及に伴い電気配線の複雑化したオフィスビル等に対応することのできるフリーアクセスフロア（二重床タイプのフロア）に関する発明として、配線用長尺トレーを床面に縦列すると共に、縦列した配線用長尺トレーの複数組みをフロアプレートが敷設可能な一定間隔をおいて床面に並列し、これら配線用長尺トレーの上部にトレーカバーを設置すると共に、これら配線用長尺トレーに設けた受座にフロアプレートを掛け渡すことにより、配線用長尺トレー間にフロアプレートを敷設して、配線スペースを形成した発明がある。そしてこの発明によって、床面に行う割付けと墨出しを不要なものとし、従来のフリーアクセスフロアに比べてフロアプレートの敷設が簡単なものとなる。  また、フロアプレートが耐荷重性に優れたものとなると共に、フロアプレートが安定した状態となって歩行性に優れたものとなる。さらに、強電線と弱電線の混触事故が発生しないものとなる等の効果が得られる（特許文献１）。
【０００６】
また、関連する技術として、商品陳列什器に、レールコンセントを所望のレイアウトで、体裁よく、簡単に取り付けることができるようにするために、左右１対の支柱の内側面間に、その内側面間より狭幅の背面パネルの一方の側縁を、いずれか一方の支柱の内側面に当接させて支持するとともに、他方の支柱の内側面と背面パネルの他方の側縁との間隙に、プラグ差し込み口を上下方向に長いレール状としたレールコンセントを配設する技術が知られている（特許文献２）。
【０００７】
また、店舗、ショウルーム等で、商品を展示している棚板の横に、コンセントや照明器具用のコードやプラグが露出して取り付けられ、美観が損なわれていたので、棚柱にコンセントを内蔵し、又、棚受けにコードを内蔵し、棚受けの棚柱に引っ掛ける部分を差し込みプラグとして利用すると、コンセントやコード及びプラグが見えず店舗、ショウルーム、商品等のイメージアップにつながることを目的として、 棚柱にレールコンセントを内蔵し、又、棚受けにコードを内蔵し、棚受けの引っ掛ける部分を差し込みプラグとして利用する技術が知られている（特許文献３）。
【０００８】
さらに、電源を市販のライティングレールとすることも試みられてきたが、これらは突起部が大きすぎて安全性や機能性を発揮できないと共に美観を損なうと欠点があった（図４参照）。また、別にコンセントアダプターの用意が必要で、追加費用が発生するという問題があった。
したがって、従来の技術では、これまでの課題を十分に解決できるものではなかった。
【先行技術文献】
【特許文献】
【０００９】
【特許文献１】特開平７−２２４５２１
【特許文献２】特開２００２−９５５５７
【特許文献３】特開平９−９２４１８
【発明の概要】
【発明が解決しようとする課題】
【００１０】
本発明は、上記従来からの課題について本発明者らが鋭意研究したものである。すなわち、本発明が解決しようとする課題は次のとおりである。
【００１１】
（あ）ＲＣ建物の躯体は１００年以上保つことから、リフォームのし易さや、売却時の価値を上げるために、現在ではスケルトンインフィル（躯体と内装の分離）の考え方が浸透してきている。そのため、自由に部屋のレイアウトを変更するには新たなコンセントの設置が必要になり新たなタイプのコンセントの開発が必要となるが、この課題に対応するものである。
【００１２】
（い）後日の工事には莫大な資金が必要とされたところ、電気配線を後日躯体内に配管しなくて良くなれば工事コストの半減が可能となるが、この課題に対処するものである。
【００１３】
（う）コンセントの位置やプラグの数が決まっていて、延長コンセントタップの使用が非常に多く、コードに引っかかるなど、安全性などに問題が生じていたがそれに変わる画期的なコンセントを提供するものである。
【００１４】
したがって、本発明は、住宅のスケルトンインフィル化に対応すべく、壁や床から、自由に電源の取れる新規な電気コネクタを開発するものである。
【課題を解決するための手段】
【００１５】
本発明は、カード型プラグと、フリーコンセントよりなる新規な電気コネクタにより、カード型プラグの挿入位置を、フリーコンセントの任意の位置とすることができ、プラグの設置数やコンセントの設置位置に拘束されない利便性と安全性を兼ね備えた電気コネクタの発明である。
そのために、以下の事項を発明の要点とするものである。
【００１６】
（あ）ケーブル接続部（１２）を介してカード型プラグ本体（１１）とケーブル（１３）を接続したカード型プラグ（１０）と、該カード型プラグ本体（１１）を挿入するため  の開口スリット部（２２）を設けたフリーコンセントケーシング（２１）よりなるフリーコンセント（２０）、からなる電気コネクタ。
【００１７】
（い）上記カード型プラグ本体（１１）に電気接触部（１４）と抜け止め部（１５）を設け、該電気接触部（１４）はカード型プラグ本体（１１）の同一面上又は表裏両面に間隔を設けて設置され、該抜け止め部（１５）は下部電源導電端子部（２４）と接してカード型プラグの脱落を防止することを特徴とする電気コネクタ。
【００１８】
（う）上記ケーブル接続部（１２）の側面に、滑りを防止するためのスリット（１６）を形成したことを特徴とする電気コネクタ。
【００１９】
（え）上記フリーコンセントケーシング（２１）に、カード型プラグ本体（１１）を開口スリット部（２２）に対して傾斜して挿入するための、その長尺に沿った幅１〜３ｍｍ、望ましくは２ｍｍの開口スリット部（２２）を設け、該フリーコンセントケーシング（２１）の内部には、その長尺に沿って電源となる上部電源導電端子部（２３）と下部電源導電端子部（２４）を設け、該端子部は、カード型プラグ本体（１１）に接してカード型プラグを把持すると共に、電気を供給することを特徴とする電気コネクタ。
【発明の効果】
【００２０】
本発明は、上記の構成により、以下のとおりの効果を発揮するものである。
【００２１】
（あ）フリーコンセントの利用により、家電、電気製品が壁際、床の自由な場所に設置でき、数も自由に増やすことができる。
【００２２】
（い）コンセントの配置が自由になることから間取りの自由度が増して、スケルトンインフィル住宅を実現することができる。
【００２３】
（う）電気器具を自由に配置することができることから、電源のワイヤレス化が可能となる。その結果、ワイヤレスとほぼ同じ便利性が得られることとなる。
【００２４】
（え）コンセントの形状をカード式にすることで、出っ張りをなくしてデザイン性を高めることができる。
【００２５】
（お）コンセントの隙間を小さくすることで子供等に対して安全性を向上できる。
【００２６】
（か）カード型プラグの挿入時には、その電気接触部に、テンション力を持った接触部が当接されるため、安定した信頼性の高い電気的接続が得られる。
【００２７】
（き）たこ足配線を防止でき、安全性、機能性、便利さ、デザイン性をトータルで改善できる。
【図面の簡単な説明】
【００２８】
【図１】本発明に係る電気コネクタの一例において、フリーコンセントに対するカード型プラグの挿入の状態を示した図である。
【図２】図１の電気コネクタにおいて、カード型プラグの挿入前の状態を示した図である。
【図３】本発明に係るカード型プラグの一例を示す図である。
【図４】従来の電気コネクタの例を示す図である。
【発明を実施するための形態】
【００２９】
以下に本発明を詳述する（図１〜３参照）。
本発明の電気コネクタは、カード型プラグ（１０）と、レール式のフリーコンセント（２０）よりなる。そして、カード型プラグ（１０）は、カード型プラグ本体（１１）と、ケーブル接続部（１２）、ケーブル（１３）よりなる。
カード型プラグ本体（１１）には、電気接触部（１４）と抜け止め部（１５）が設けられる。カード型プラグ本体（１１）の厚みは、開口スリット部（２２）に挿入して使用することから、１〜３ｍｍ程度、望ましくは２ｍｍ程度である。
また、開口スリット部（２２）に対して傾斜して挿入することからこれに対応した適宜の形状とする。
【００３０】
電気接触部（１４）は、例えば、カード型プラグ本体（１１）の同一面上又は表裏両面に間隔を設けて設置されることにより、確実に給電接続、導電接続可能となる。すなわち、電気接触部（１４）はカード型プラグ本体（１１）の裏表等に電源の接点を設け、接点部をずらすことにより、ショートなどを予防して安全性を高めることができる。
電気接触部（１４）は、例えばプラスチック製のカード型プラグ本体（１１）と面一に端子面を埋め込まれ、カード型プラグ本体（１１）から突出したばね状端子部のばね力により電源導電端子部に引っかけることも可能である。
【００３１】
また、抜け止め部（１５）は、後述する下部電源導電端子部（２４）と接して、カード型プラグの脱落を防止するための、例えば突起部分を有するものである。さらに、抜け止め部（１５）は、出没自在の係合部を設けて係合部を出没させ、抜け止めを図っても良い。
抜け止め部（１５）の設置位置としては、カード型プラグをスライドさせる際の案内として利用することを考慮し、また、抜け止め部を利用した接続位置の調整に利用することを考慮して適宜の位置に設ける。
抜け止め部（１５）の材質としては、給電側導電端子を抜け止めに利用する場合はプラスチックが、フリーコンセントケーシング（２１）に抜け止め用係合部を設ける場合は板歯ばね金属が望ましい。
【００３２】
ケーブル接続部（１２）は、カード型プラグ本体（１１）とケーブル（１３）を確実に接続するものであるが、これによりケーブル（１３）とケーブル接続部（１２）とのよじれ、ねじれ等が生じにくく、長時間使用後でも、ケーブルの断線が生じにくい。
ケーブル接続部（１２）の側面には、これを持ちやすくして滑りを防止するためのスリット（１６）を形成してもよい。
【００３３】
また、カード型プラグ本体（１１）は、ケーブル接続部（１２）に対して、ヒンジ機構やユニーバーサルジョイント機構により、上下に回動自在に設けてもよい。さらに、ケーブル接続部（１２）は、既存のコンセントプラグを下から差し込むタイプを用意し、現在の電気器具が使用できるようにしてもよい。
【００３４】
カード型プラグ（１０）のカード型プラグ本体（１１）とケーブル接続部（１２）は、導電配線部をインサートしたプラスチックの一体成形体としてもよいし、嵌合一体化したものでもよい。
【００３５】
フリーコンセント（２０）は、フリーコンセントケーシング（２１）を躯体とし、前面にはカード型プラグ本体を挿入するための、開口スリット部（２２）が設けられている。
フリーコンセントケーシング（２１）は、長尺コ字状の中空矩形で、奥行きは、壁のボード厚さに合わせて適宜のものとすることができるが、例えば、プラスターボードに埋め込む場合は、１２.５ｍｍ程度とする。また、縦方向の幅は３０〜５０ｍｍ程度、望ましくは４０ｍｍ程度とすることができる。そしてフリーコンセントケーシング（２１）は、金属や合成樹脂等の材料で製作することができる。
【００３６】
フリーコンセントケーシング（２１）の前面には、カード型プラグ本体を挿入するための、開口スリット部（２２）が設けられるが、開口部の幅は、１〜３ｍｍ程度、望ましくは２ｍｍ程度である。また、開口スリット部（２２）を下方に傾斜させて形成することにより、ほこりの侵入や集積が生じにくい、ショート、漏電の恐れが少なくなる。
そして、カード型プラグの差込口を、横一列に薄くすることで、誤って指や物が入らないことから安全性が向上する。また、コンセントを使用しない部分については、うすいゴム状のキャップを施してもよい。
【００３７】
さらに、薄いカード型プラグに対応するような高さを設け、斜めに差し込むことができ、これにより、プラグは簡単に抜けず、また奥行きがない場合も対応が可能となる。
フリーコンセントケーシング（２１）の内部には、電源となる上部電源導電端子部（２３）と、下部電源導電端子部（２４）を設ける。これらの端子部は、カード型プラグ本体（１１）に接するように設けてカード型プラグを把持する作用・機構を兼ねると共に、カード型プラグ本体の上下に接してそれぞれの電極の電気を供給する。
【００３８】
また、下部電源導電端子部（２４）は、カード型プラグの抜け止め部（１５）を把持して脱落を防止する。そして、テープ状の電源導電端子部、またはバネ状の電源導電端子部が、フリーコンセントケーシング（２１）の長尺に沿って配置される。
さらに、電源導電端子部は、形を変えることにより床などにも設置することができる。
【実施例】
【００３９】
フリーコンセント（２０）を、プラスターボードなどの壁面形成材に、直接埋め込み、壁面と面一となるように配置する。
カード型プラグ（１０）のカード型プラグ本体（１１）を、フリーコンセント（２０）に対して、開口スリット部（２２）から斜め方向に挿入する。
これにより、把持機構を兼ねる上部電源導電端子部（２３）と下部電源導電端子部（２４）の上下の電源部から電気の供給を受けることとなる。
カード型プラグ（１０）の設置位置を変更する場合は、フリーコンセント（２０）内でカード型プラグ（１０）をスライドさせるか、あるいは、カード型プラグ（１０）をフリーコンセント（２０）から一度引き抜き、再度別の箇所に挿入する。
【００４０】
以上のとおり、本発明のカード型プラグ（１０）とフリーコンセント（２０）よりなる電気コネクタは、各種電気装置の電力供給装置として広く利用することができるものである。
さらに、機能を拡大して以下の様に活用することもできる。
【００４１】
１．天井の廻り縁を兼ねて、ＬＥＤ照明と、ピクチャーレールの機能を持った電源レールとする。そして、増えつつあるデジタルフォトフレームの需要に対応し、壁を利用した電気器具の使用が可能で簡単に電源が取れるようにする。また、追加で照明（ＬＥＤ）などのオプションが可能となる。
【００４２】
２．幅木を利用し、ＬＥＤ照明を間接的に光らせ、通路、廊下などの夜間歩行の安全性を高める。そして間接照明になるように、ＬＥＤは隠し、反射をアールにより拡散することで床に光を広げる。そのため、ＬＥＤの交換を容易にしたり、部分的にリモコンや、人感、明暗センサーを取り付けるジョイントを設ける。
【符号の説明】
【００４３】
（１０）カード型プラグ
（１１）カード型プラグ本体
（１２）ケーブル接続部
（１３）ケーブル
（１４）電気接触部
（１５）抜け止め部
（１６）スリット
（２０）フリーコンセント
（２１）フリーコンセントケーシング
（２２）開口スリット部
（２３）上部電源導電端子部
（２４）下部電源導電端子部
（３０）壁
【図１】
2011100624.tif 000003
【図２】
2011100624.tif 000004
【図３】
2011100624.tif 000005
【図４】
2011100624.tif 000006
【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
滑りを防止するためのスリット（１６）を設けたケーブル接続部（１２）を介してカード型プラグ本体（１１）とケーブル（１３）を接続したカード型プラグ（１０）と、該カード型プラグ本体（１１）を挿入するための開口スリット部（２２）を設けたフリーコンセントケーシング（２１）よりなるフリーコンセント（２０）、
からなる電気コネクタであって、
上記カード型プラグ本体（１１）は、電気接触部（１４）と抜け止め部（１５）を有し、該電気接触部（１４）は、カード型プラグ本体（１１）の同一面上又は表裏両面に間隔を設けて設置し、該抜け止め部（１５）は下部電源導電端子部（２４）と接してカード型プラグ（１０）の脱落を防止するとともに、スライドさせる際の案内として利用できる出没自在の係合部とし、
上記フリーコンセントケーシング（２１）は、中空矩形であり、カード型プラグ本体（１１）を開口スリット部（２２）に対して傾斜して挿入するための、その長尺に沿った幅１〜３ｍｍの開ロスリット部（２２）を設け、該フリーコンセントケーシング（２１）の内部には、その長尺に沿って電源となるバネ状の上部電源導電端子部（２３）と下部電深海電端子部（２４）を設け、該端子部は、カード型プラグ本体（１１）に接してカード型プラグ（１０）を把持すると共に、電気を供給する
ことを特徴とする電気コネクタ。
【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
滑りを防止するためのスリット（１６）を設けたケーブル接続部（１２）を介してカード型プラグ本体（１１）とケーブル（１３）を接続したカード型プラグ（１０）と、前記カード型プラグ本体（１１）を挿入するための開口スリット部（２２）を設けたフリーコンセントケーシング（２１）よりなるフリーコンセント（２０）と、
からなる電気コネクタであって、
前記カード型プラグ本体（１１）は、電気接触部（１４）と抜け止め部（１５）を有し、前記電気接触部（１４）は、前記カード型プラグ本体（１１）の同一面上又は表裏両面に間隔を設けて設置し、前記抜け止め部（１５）は下部電源導電端子部（２４）と接して前記カード型プラグ（１０）の脱落を防止するとともに、スライドさせる際の案内として利用できる出没自在の係合部とし、
前記フリーコンセントケーシング（２１）は、中空矩形であり、前記カード型プラグ本体（１１）を前記開口スリット部（２２）に対して傾斜して挿入するための、前記フリーコンセントケーシング（２１）の長尺に沿った幅１〜３ｍｍの前記開口スリット部（２２）を設け、前記フリーコンセントケーシング（２１）の内部には、前記フリーコンセントケーシング（２１）の長尺に沿って電源となるバネ状の上部電源導電端子部（２３）と前記下部電源導電端子部（２４）を設け、前記両電源導電端子部（２３）、（２４）は、前記カード型プラグ本体（１１）に接して前記カード型プラグ（１０）を把持すると共に、電気を供給する
ことを特徴とする電気コネクタ。